(57)【要約】【課題】非力な高齢者、婦女子でも容易にコンセントに差し込める差込プラグを提供すること。【解決手段】差込プラグ１において、 プラグケース２内に差込刃３と超音波発振器６と圧電セラミックス７を設置し、 電気的に接続する。  圧電セラミックス７は差込刃３に当接しており、 差込刃３がコンセント８のリセプタクル１０に差し込まれると、 スイッチ１１によって電力が供給されて超音波発振器６が駆動して圧電セラミックス７を高周波振動させ、差込刃３に伝播する。【選択図】図１
2015170486.tif 000002
【特許請求の範囲】
【請求項１】
プラグケース内に間隔をあけて設置された一対の差込刃と、 該差込刃にネジで接続固定された電源コードを内蔵する差込プラグにおいて、
前記差込刃に電気的に接続された超音波発振器と、
該超音波発振器の出力を供給される圧電部材が前記差込刃に当接するよう設置され、
前記超音波発振器を作動させるスイッチを前記プラグケースの表面に備えたことを特徴とする差込プラグ。
【請求項２】
前記圧電部材は、 １つの圧電セラミックスであり、 該圧電セラミックスに前記差込刃の両方が当接していることを特徴とする請求項１に記載の差込プラグ。
【請求項３】
前記圧電部材は、 ２つの圧電セラミックスであり、 該圧電セラミックスが前記差込刃のそれぞれに取り付けられることを特徴とする請求項１に記載の差込プラグ。
【請求項４】
前記スイッチは、 ＯＮ−ＯＦＦ式スイッチであることを特徴とする請求項1乃至３に記載の差込プラグ。
【請求項５】
前記スイッチは、 タッチセンサであることを特徴とする請求項１乃至３に記載の差込プラグ。
【請求項６】
前記スイッチは、 圧力センサであることを特徴とする請求項１乃至３に記載の差込プラグ。
【発明の詳細な説明】
【技術分野】
【０００１】
本発明は、電気機器の差込プラグに関するものである。
【背景技術】
【０００２】
従来から、 電気機器の差込プラグは商用電力を供給するコンセントに差し込むことによって、 外部の電力ラインからコンセント、 差込プラグを通して電気機器に電力を供給して、電気機器を稼動することができる。
【０００３】
差込プラグとコンセントの接合には、 一対の差込刃を持つ差込プラグを向かい合う２枚の板バネでできたリセプタクルを備えたコンセントに差し込んで、 差込刃をリセプタクルで狭持することで実現する。
【０００４】
しかし、 リセプタクルの板バネは差し込まれた差込刃をしっかり狭持しないと放電現象が発生したり過電流が流れて火災を起こしたり、 接触不良で電気機器が正常に動作しなくなってしまう。 そのため、リセプタクルのバネ強度はかなり硬くしてあり、 力の弱い老人、 女性、 子供にとって差込プラグをコンセントに完全に差し込むことや差し込んだ差込プラグを抜き取ることが非常に困難になってしまうという欠点がある。
【０００５】
最近のコンセントでは、 差込プラグを差し込んだ時はリセプタクルの狭持バネが緩くなっており、 プラグを回転させるとバネ強度の強い部分にスライドしてロックできるタイプのものが市販されている。 また、 特許文献１にはコンセント側に接触型の給電端子と一次コイルを備え、 プラグに受電端子と二次コイルを備え、 接続時には先にコイルが電磁結合して両端子を接触させ、抜き去る時は電磁結合が解除されることでプラグの抜き差しが容易にできる技術が記載されている。
【０００６】
また、 特許文献２には差込プラグの内部に電磁式振動体を備えており、 信号によって振動体を動作させることでプラグをコンセントから自動的に引き抜くことができる技術が記載されている。
【先行技術文献】
【特許文献】
【０００７】
【特許文献１】特開２０１１−２４９２２９号公報
【特許文献２】特表２００７−５１８２３４号公報
【発明の概要】
【発明が解決しようとする課題】
【０００８】
解決しようとする問題点は、 差込プラグをコンセントに差し込む時や抜き取る時、 コンセントのリセプタクルのバネに無理な力を掛けずに抜き差しができて、 更に差し込みが完全にできるようにすることである。 しかし、 特許文献１の技術では、 プラグとコンセントの接合は完全にできても給電端子と受電端子との結合には言及していない。  同様に、 特許文献２の技術では、 プラグをコンセントから自動で引き抜く方法のみであって、差し込みのことには触れていない。
【０００９】
本発明は、 上記の問題を解決するためになされたもので、 簡単な操作で女性や高齢者がスムースに差込プラグの抜き差しをすることができ、 更に抜差刃がしっかりリセプタクルに保持される機能を持った差込プラグを提供することである。
【課題を解決するための手段】
【００１０】
上記課題を解決するために、 請求項１に記載の発明は、 プラグケース内に間隔をあけて設置された一対の差込刃と、 該差込刃にネジで接続固定された電源ケーブルを内蔵する差込プラグにおいて、 前記差込刃に電気的に接続された超音波発振器と、 該超音波発振器の出力を供給される圧電部材が前記差込刃に当接するよう設置され、 前記超音波発振器を作動させるスイッチを前記プラグケースの表面に備えたことを最も主要な特徴とする。
【００１１】
従って、 請求項１に記載の発明によると、 差込プラグを商用電力のコンセントに差し込んで目的とする電気機器を動作させるとき、 差込プラグを指で摘むとスイッチがＯＮして、 差し込む差込プラグの差込刃がコンセントのリセプタクルに接触すると、 プラグケース内の超音波発振器に電力が供給されて超音波信号が圧電部材に供給され、 高周波振動が発生して差込刃に伝達し、 コンセントのリセプタクルとの摩擦抵抗が減少して、 スムースにリセプタクルの板バネの間に差込刃を差し込むことができる。 そして、 差込プラグを摘んでいた指を離すと超音波発振器への電力供給が停止して、 差込刃が確実にリセプタクルに保持される。 差込プラグを抜く時は、 逆に差込プラグを指で摘むとスイッチがＯＮとなり、 高周波振動が差込刃とリセプタクルを保持する摩擦抵抗が減少して、 簡単に差込プラグをコンセントから抜くことができる。
【００１２】
請求項２に記載の発明は、 請求項１において、 前記圧電部材は、 １つの圧電セラミックスであり、 該圧電セラミックスが前記差込刃の両方に当接していることをその要旨とする。
【００１３】
請求項２に記載の発明によると、 プラグケース内の１対の差込刃の間に設けられた１つの圧電セラミックスに両方の差込刃が当接されており、 超音波発振器によって駆動されると、 両方の差込刃が高周波振動してコンセントのリセプタクルにスムースに差し込まれる。
【００１４】
請求項３に記載の発明は、 請求項１において、前記圧電部材は、 ２つの圧電セラミックスであり、 該圧電セラミックスが前記差込刃のそれぞれに取り付けられることをその要旨とする。
【００１５】
請求項３に記載の発明によると、 プラグケース内の一対の差込刃のそれぞれに圧電セラミックスが取り付けられるため、 圧電セラミックスで発生する高周波振動が確実に差込刃に伝達することができる。
【００１６】
請求項４に記載の発明は、 プラグケースに設けられたスイッチがＯＮ−ＯＦＦ式であることをその要旨とする。
【００１７】
請求項４に記載の発明によると、 圧電セラミックスを作動させるＯＮ−ＯＦＦの切り替えが確実にできる。
【００１８】
請求項５に記載の発明は、 プラグケースに設けられたスイッチがタッチセンサであることをその要旨とする。
【００１９】
請求項５に記載の発明によると、 差込プラグを差し込む時、 プラグケースの表面に設けたタッチセンサに指先が触れるだけで、 圧電セラミックスの高周波振動を励起させることができる。
【００２０】
請求項６に記載の発明は、 プラグケースに設けられたスイッチが圧力センサであることをその要旨とする。
【００２１】
請求項６に記載の発明によると、 差込プラグを差し込む時、 プラグケースに設けられた圧力センサを指で摘むことで、 圧電セラミックスの高周波振動を励起させることができる。
【発明の効果】
【００２２】
以上詳述したように、 請求項１〜６に記載の発明によると、 力の弱い女性や高齢者でも差込プラグを容易に根元までコンセントに差し込むことができるため、 差込不完全による接触不良や放電を防ぎ、 また、 差込口に埃が溜まる事がなくなるため、 漏電や発火を防ぐことができるという利点がある。
【図面の簡単な説明】
【００２３】
【図１】一実施例の形態を示した差込プラグの構成概略図である。(実施例1)
【図２】差込プラグの外観斜視図である。
【図３】別の実施の形態を示した差込プラグの構成概略図である。(実施例2)
【発明を実施するための形態】
【００２４】
本発明にかかる差込プラグの実施例を図１〜図３を参照して説明する。
【実施例】
【００２５】
第１の実施例にかかる差込プラグ１について、 図1と図２を参照して説明する。 図１は、 本実施例１にかかる差込プラグ１の内部構成を示す概略図である。 図２は、 本実施例１にかかる差込プラグ１の外観斜視図である。
【００２６】
本実施例１の差込プラグ１は、 図１に示すように、 プラグケース２内にコード４が留めネジ５で接続された一対の差込刃３が嵌め込まれており、 両差込刃３の間に超音波発振器６が設置され両差込刃と電気的に接続されている。 超音波発振器６の出力が圧電セラミックス７に供給されて、 圧電セラミックス７が固有共振周波数で振動すると、 当接している差込刃３にその振動が伝達して、差込刃３が高周波振動を引き起こす。
【００２７】
前記の超音波発振器６の発振動作は、 プラグケース２の表面に設置されたスイッチ１１によってＯＮ−ＯＦＦされるが、 スイッチ１１がＯＮされて差込プラグ１の両方の差込刃３がコンセント８の差込口９からリセプタクル１０に触れると、 リセプタクル１０から差込刃３を経由して超音波発振器６に電力が供給されることで達成される。
【００２８】
こうして、 差込刃３に高周波振動が励起されると、 差込刃３とリセプタクル１０の接触抵抗が低減して、 差込刃３の先端がリセプタクル１０の板バネの間に滑り込んでいくことになる。 板バネに挟まれた差込刃３は、 摘んだ指を離してプラグケース２のスイッチ１１がＯＦＦになると、 高周波振動が止まってリセプタクル１０の板バネにしっかり保持される。
【００２９】
逆に、 差込プラグ１をコンセント８から抜き取るときは、 プラグケース２を指で摘んでスイッチ１１をＯＮにすると、 差込刃３から電力が超音波発振器６に供給されて、 高周波信号が圧電セラミックス７を駆動して高周波振動が励起され、 高周波振動が差込刃3に伝播する。  この高周波振動が差込刃３とリセプタクル１０の板バネとの接触抵抗を小さくして、 楽に差込プラグ１をコンセント8から抜くことができる。
【産業上の利用可能性】
【００３０】
次に、 第２の実施例にかかる差込プラグ１について、 図２および図３を参照して説明する。  図３は、本実施例２にかかる差込プラグ１の内部構成を示す概略図であるが、 実施例１（図１）における1つの圧電セラミックス７が、 本実施例２（図３）ではそれぞれの差込刃３に個々に圧電セラミックス１２が取り付けられている点が異なるのみであり、 その他は同じであるため詳細な説明は省略する。
【００３１】
第２の実施例の動作について簡単に説明する。  本実施例２の差込プラグ１は、 図３に示すように、 プラグケース２内の差込刃３のそれぞれに個別に圧電セラミックス１２が取り付けられている。  ここで差込プラグ１を指で摘んでスイッチ１１をＯＮ状態にすると、 差込刃３がコンセント８のリセプタクル１０に差し込まれると、 超音波発振器６に電力が供給されて圧電セラミックス１２が高周波振動を励起する。  この高周波振動が差込刃３を伝播してリセプタクル１０の板バネとの接触抵抗を低減させて、 あまり力を掛けることなくコンセント８に差込刃３を根元まで差し込むことができる。
【００３２】
以上において、 本発明を実施例１および実施例２に即して説明したが、 本発明は上記実施例に限定されるものではなく、 その要旨を逸脱しない範囲で、 適宜変更して適用できることはいうまでもない。 
例えば、 実施例１、 ２においては差込刃３が２枚のものについて例示したが、 アース線を含む３枚刃や三相電力専用の４枚刃を有した差込プラグであっても良い。
また、 プラグケース２に設置するスイッチ１１についても、 実施例１、 ２で説明したＯＮ−ＯＦＦスイッチに限らず、 差込プラグ１を指で摘んだとき感知するタッチセンサや圧力センサでも良く、 それ以外でも、 同様の機能を有するものであれば適宜変更して適用できることはいうまでもない。
【符号の説明】
【００３３】
１          差込プラグ  
２          プラグケース
３          差込刃
４          コード
５          留めネジ
６          超音波発振器
７、１２    圧電セラミックス
８          コンセント
９          差込口
１０        リセプタクル
１１        スイッチ
【図１】
2015170486.tif 000003
【図２】
2015170486.tif 000004
【図３】
2015170486.tif 000005